(57)【要約】【課題】動作条件としての数値（設定値）を短時間で容易に変更する。【解決手段】ＵＰスイッチ１４ｕの押圧操作が継続されている間において予め規定された変更時間間隔で予め規定された変更量ずつ上限値表示領域１１内の設定値や下限値表示領域１２内の設定値を増加させる処理Ａと、ＤＯＷＮスイッチ１４ｄの押圧操作が継続されている間において予め規定された変更時間間隔で予め規定された変更量ずつ設定値を減少させる処理Ｂとのいずれかを実行する際に、スイッチ１４ｕ，１４ｄに対する押圧力が低下するほど設定値の変更時間間隔が長くなり、かつ押圧力が上昇するほど設定値の変更時間間隔が短くなるように変更時間間隔を多段階で変化させると共に、押圧力が上昇してからの経過時間に応じて設定値の変更量が増加し、かつ押圧力が低下してからの経過時間に応じて設定値の変更量が減少するように変更量を多段階で変化させる。【選択図】図２
2014075075.tif 000002
【特許請求の範囲】
【請求項１】
指定された条件に基づいて動作条件データを生成する動作条件データ生成処理を実行する処理部と、前記条件のうちの任意に変更可能な数値を増加させて大きな値に変更可能な数値変更スイッチＡおよび当該数値を減少させて小さな値に変更可能な数値変更スイッチＢを有する操作部とを備え、前記処理部が前記動作条件データ生成処理において前記数値変更スイッチＡおよび前記数値変更スイッチＢの少なくとも一方の押圧操作によって変更された数値を前記指定された条件の一部として前記動作条件データを生成する電子機器であって、
前記処理部は、前記動作条件データ生成処理の際に、前記数値変更スイッチＡの押圧操作が継続されている間において予め規定された時間間隔Ａで予め規定された変更量Ａずつ前記数値を増加させる処理Ａと、前記数値変更スイッチＢの押圧操作が継続されている間において予め規定された時間間隔Ｂで予め規定された変更量Ｂずつ前記数値を減少させる処理Ｂとを実行すると共に、
前記処理Ａに際して、前記数値変更スイッチＡに対する押圧力の変化に伴って変化するパラメータＡを監視し、当該押圧力が低下するほど前記時間間隔Ａが長くなり、かつ当該押圧力が上昇するほど前記時間間隔Ａが短くなるように当該時間間隔ＡをＮａ段階（Ｎａは、自然数）で変化させると共に、当該押圧力の上昇によって当該パラメータＡが高い押圧力に対応するパラメータ範囲内の値となってからの経過時間に応じて前記変更量Ａが増加するように当該変更量ＡをＭａ段階（Ｍａは、自然数）で変化させ、かつ当該押圧力の低下によって当該パラメータＡが低い押圧力に対応するパラメータ範囲内の値となってからの経過時間に応じて前記変更量Ａが減少するように当該変更量ＡをＬａ段階（Ｌａは、自然数）で変化させ、
前記処理Ｂに際して、前記数値変更スイッチＢに対する押圧力の変化に伴って変化するパラメータＢを監視し、当該押圧力が低下するほど前記時間間隔Ｂが長くなり、かつ当該押圧力が上昇するほど前記時間間隔Ｂが短くなるように当該時間間隔ＢをＮｂ段階（Ｎｂは、自然数）で変化させると共に、当該押圧力の上昇によって当該パラメータＢが高い押圧力に対応するパラメータ範囲内の値となってからの経過時間に応じて前記変更量Ｂが増加するように当該変更量ＢをＭｂ段階（Ｍｂは、自然数）で変化させ、かつ当該押圧力の低下によって当該パラメータＢが低い押圧力に対応するパラメータ範囲内の値となってからの経過時間に応じて前記変更量Ｂが減少するように当該変更量ＢをＬｂ段階（Ｌｂは、自然数）で変化させる電子機器。
【請求項２】
動作条件設定画面を表示可能な表示部を備え、
前記操作部は、前記表示部の前面側に配設されたタッチパネルを備え、
前記処理部は、前記動作条件データ生成処理において、前記数値変更スイッチＡを模した擬似操作スイッチＡと、前記数値変更スイッチＢを模した擬似操作スイッチＢとを前記動作条件設定画面内に表示させると共に、前記タッチパネルにおける前記疑似操作スイッチＡとの対向部位が押圧操作されたときに前記数値変更スイッチＡが押圧操作されたと判別し、かつ前記タッチパネルにおける前記疑似操作スイッチＢとの対向部位が押圧操作されたときに前記数値変更スイッチＢが押圧操作されたと判別する請求項１記載の電子機器。
【請求項３】
請求項１または２記載の電子機器と、前記処理部の制御に従って測定対象の物理量を測定する測定部とを備えて構成されている測定装置。
【発明の詳細な説明】
【技術分野】
【０００１】
本発明は、任意に変更可能な数値を複数の条件の一部として動作条件を設定可能に構成された電子機器および測定装置に関するものである。
【背景技術】
【０００２】
この種の電子機器および測定装置として、出願人は、特開２０００−２９２４４６号公報に波形表示装置を開示している。出願人が開示している波形表示装置では、例えば表示レンジの上限値や下限値のような「数値の動作条件」を設定する際に、ＵＰキーの操作によって設定値を増加させて大きな値に変更すると共に、ＤＯＷＮキーの操作によって設定値を減少させて小さな値に変更する構成が採用されている。この場合、出願人が開示している波形表示装置では、ＵＰキー、またはＤＯＷＮキー（以下、これらを総称して「数値変更キー」ともいう）の操作開始からの経過時間に応じて設定値の変更量や設定値の変更時間間隔を変化させることにより、キー操作の継続時間が長くなるほど速いペースで設定値が変更される構成が採用されている。
【０００３】
具体的には、出願人が開示している波形表示装置では、数値変更キーの操作を開始した時点において「変更量１Ｖ」で設定値を１回増加させ、操作開始から１秒が経過した時点において「０．５秒当り１Ｖの変更量」で設定値を連続して増加させる処理を開始し、操作開始から４秒が経過した時点において「０．２秒当り１Ｖの変更量」で設定値を連続して増加させる処理を開始し（変更時間間隔を変化させる処理）、操作開始から７秒が経過した時点において「０．５秒当り１０Ｖの変更量」で設定値を連続して増加させる処理を開始し（変更量および変更時間間隔を変化させる処理）、操作開始から１２秒が経過した時点において「０．５秒当り１００Ｖの変更量」で設定値を連続して増加させる処理を開始する（変更量を変化させる処理）との構成が採用されている。
【０００４】
これにより、出願人が開示している波形表示装置では、既設定値と目標設定値との差が小さいときには、数値変更キーの操作を開始してからの経過時間が短いとき、すなわち、設定値が比較的遅いペースで変更されている状態において設定値が目標設定値まで増加（または減少）するため、目標設定値を超える大きな設定値となったり、目標設定値を下回る小さな設定値となったりする事態を回避できる。また、出願人が開示している波形表示装置では、既設定値と目標設定値との差が大きいときには、数値変更キーを操作し続けることで、設定値が比較的速いペースで変更される状態となるため、短時間で既設定値を目標設定値まで増加または減少させることができ、動作条件の設定に要する時間を充分に短縮することができる。
【先行技術文献】
【特許文献】
【０００５】
【特許文献１】特開２０００−２９２４４６号公報（第３−５頁、第１−５図）
【発明の概要】
【発明が解決しようとする課題】
【０００６】
ところが、出願人が開示している波形表示装置には、以下の改善すべき課題が存在する。すなわち、出願人が開示している波形表示装置では、操作開始からの経過時間に応じて設定値の変更量や変更時間間隔を変化させることにより、キー操作の継続時間が長くなるほど速いペースで設定値が変更される構成が採用されている。したがって、出願人が開示している波形表示装置では、数値変更キーの操作開始からの経過時間（キー操作の継続時間）が長くなって設定値の変更ペースが速くなった状態において、変更中の設定値が目標設定値となった瞬間に数値変更キーの操作を終了するのが困難となり、キー操作の終了時点における設定値が、目標設定値を超える大きな値となったり、目標設定値を下回る小さな値となったりすることがある。このため、目標設定値よりも大きな設定値、または、目標設定値よりも小さな設定値を目標設定値とするためのスイッチ操作を再び実行する必要が生じる。
【０００７】
また、出願人が開示している波形表示装置では、設定値の変更量を「１Ｖ」から「１０Ｖ」に変化させるときに、その時点の設定値における１位の桁を切り上げて「０」とし、設定値の変更量を「１０Ｖ」から「１００Ｖ」に変化させるときに、その時点の設定値における１０位の桁を切り上げて「０」とする構成が採用されている。したがって、例えば、既設定値が「３Ｖ」の設定値を「２２５５Ｖ」との目標設定値に変更する際に、仮に、設定値の変更ペースが速くなった状態において、変更中の設定値が「２２００Ｖ」の時点においてキー操作を終了することができたとしても、「２２００Ｖ」を「２２５５Ｖ」に変更するためのスイッチ操作を再び実行する必要が生じる。このように、出願人が開示している波形表示装置では、既設定値と目標設定値との差が大きいときに、複数回のスイッチ操作を行う必要が生じることがあるため、この点を改善するのが好ましい。
【０００８】
本発明は、かかる改善すべき課題に鑑みてなされたものであり、動作条件としての数値を短時間で容易に変更し得る電子機器および測定装置を提供することを主目的とする。
【課題を解決するための手段】
【０００９】
上記目的を達成すべく、請求項１記載の電子機器は、指定された条件に基づいて動作条件データを生成する動作条件データ生成処理を実行する処理部と、前記条件のうちの任意に変更可能な数値を増加させて大きな値に変更可能な数値変更スイッチＡおよび当該数値を減少させて小さな値に変更可能な数値変更スイッチＢを有する操作部とを備え、前記処理部が前記動作条件データ生成処理において前記数値変更スイッチＡおよび前記数値変更スイッチＢの少なくとも一方の押圧操作によって変更された数値を前記指定された条件の一部として前記動作条件データを生成する電子機器であって、前記処理部は、前記動作条件データ生成処理の際に、前記数値変更スイッチＡの押圧操作が継続されている間において予め規定された時間間隔Ａで予め規定された変更量Ａずつ前記数値を増加させる処理Ａと、前記数値変更スイッチＢの押圧操作が継続されている間において予め規定された時間間隔Ｂで予め規定された変更量Ｂずつ前記数値を減少させる処理Ｂとを実行すると共に、前記処理Ａに際して、前記数値変更スイッチＡに対する押圧力の変化に伴って変化するパラメータＡを監視し、当該押圧力が低下するほど前記時間間隔Ａが長くなり、かつ当該押圧力が上昇するほど前記時間間隔Ａが短くなるように当該時間間隔ＡをＮａ段階（Ｎａは、自然数）で変化させると共に、当該押圧力の上昇によって当該パラメータＡが高い押圧力に対応するパラメータ範囲内の値となってからの経過時間に応じて前記変更量Ａが増加するように当該変更量ＡをＭａ段階（Ｍａは、自然数）で変化させ、かつ当該押圧力の低下によって当該パラメータＡが低い押圧力に対応するパラメータ範囲内の値となってからの経過時間に応じて前記変更量Ａが減少するように当該変更量ＡをＬａ段階（Ｌａは、自然数）で変化させ、前記処理Ｂに際して、前記数値変更スイッチＢに対する押圧力の変化に伴って変化するパラメータＢを監視し、当該押圧力が低下するほど前記時間間隔Ｂが長くなり、かつ当該押圧力が上昇するほど前記時間間隔Ｂが短くなるように当該時間間隔ＢをＮｂ段階（Ｎｂは、自然数）で変化させると共に、当該押圧力の上昇によって当該パラメータＢが高い押圧力に対応するパラメータ範囲内の値となってからの経過時間に応じて前記変更量Ｂが増加するように当該変更量ＢをＭｂ段階（Ｍｂは、自然数）で変化させ、かつ当該押圧力の低下によって当該パラメータＢが低い押圧力に対応するパラメータ範囲内の値となってからの経過時間に応じて前記変更量Ｂが減少するように当該変更量ＢをＬｂ段階（Ｌｂは、自然数）で変化させる。
【００１０】
また、請求項２記載の測定装置は、請求項１記載の測定装置において、動作条件設定画面を表示可能な表示部を備え、前記操作部は、前記表示部の前面側に配設されたタッチパネルを備え、前記処理部は、前記動作条件データ生成処理において、前記数値変更スイッチＡを模した擬似操作スイッチＡと、前記数値変更スイッチＢを模した擬似操作スイッチＢとを前記動作条件設定画面内に表示させると共に、前記タッチパネルにおける前記疑似操作スイッチＡとの対向部位が押圧操作されたときに前記数値変更スイッチＡが押圧操作されたと判別し、かつ前記タッチパネルにおける前記疑似操作スイッチＢとの対向部位が押圧操作されたときに前記数値変更スイッチＢが押圧操作されたと判別する。
【００１１】
また、請求項３記載の測定装置は、請求項１または２記載の電子機器と、前記処理部の制御に従って測定対象の物理量を測定する測定部とを備えて構成されている。
【発明の効果】
【００１２】
請求項１記載の電子機器では、処理Ａに際して、押圧力が低下するほど時間間隔Ａが長くなり、かつ押圧力が上昇するほど時間間隔Ａが短くなるように時間間隔ＡをＮａ段階で変化させると共に、パラメータＡが高い押圧力に対応するパラメータ範囲内の値となってからの経過時間に応じて変更量Ａが増加するように変更量ＡをＭａ段階で変化させ、かつパラメータＡが低い押圧力に対応するパラメータ範囲内の値となってからの経過時間に応じて変更量Ａが減少するように変更量ＡをＬａ段階で変化させ、処理Ｂに際して、押圧力が低下するほど時間間隔Ｂが長くなり、かつ押圧力が上昇するほど時間間隔Ｂが短くなるように時間間隔ＢをＮｂ段階で変化させると共に、パラメータＢが高い押圧力に対応するパラメータ範囲内の値となってからの経過時間に応じて変更量Ｂが増加するように変更量ＢをＭｂ段階で変化させ、かつパラメータＢが低い押圧力に対応するパラメータ範囲内の値となってからの経過時間に応じて変更量Ｂが減少するように変更量ＢをＬｂ段階で変化させる。また、請求項３記載の測定装置は、請求項１または２記載の電子機器と、処理部の制御に従って測定対象の物理量を測定する測定部とを備えて構成されている。
【００１３】
したがって、請求項１記載の電子機器、および請求項３記載の測定装置によれば、数値変更スイッチＡや数値変更スイッチＢの押圧操作時に押圧力を上昇させてからある程度の押圧力を維持して押圧操作を継続することで数値（設定値）の変更量（増加量または減少量）が増加すると共に、数値変更スイッチＡや数値変更スイッチＢの押圧力を上昇させることで数値（設定値）の変更時間間隔が短くなるため、既設定値と目標設定値とが大きく相異する場合であっても数値（設定値）を短時間で目標設定値に近づけることができる。また、数値変更スイッチＡや数値変更スイッチＢの押圧力を低下させることで数値（設定値）の変更時間間隔が長くなると共に、数値変更スイッチＡや数値変更スイッチＢの押圧操作時に押圧力を低下させてからある程度の押圧力を維持して押圧操作を継続することで数値（設定値）の変更量（増加量または減少量）が減少するため、例えば、数値変更スイッチＡや数値変更スイッチＢの操作を継続することで変更中の設定値が目標設定値に近付いたときに押圧力を低下させるだけで、単位時間当りの数値（設定値）の変更量を減少させて数値（設定値）をゆっくりと変化させることができる結果、設定中の数値（設定値）が目標設定値を超えて大きな値（または、目標設定値を超えて小さな値）になってしまったり、設定中の数値（設定値）が目標設定値に達する前に数値変更スイッチＡや数値変更スイッチＢの押圧操作を終了させてしまったりする事態を回避して、目標設定値まで正確かつ容易に数値（設定値）を変更することができる。このため、この電子機器および測定装置によれば、動作条件のうちの数値の設定値を短時間で容易に目標設定値に設定することができる。
【００１４】
また、請求項２記載の電子機器によれば、タッチパネルにおける疑似操作スイッチＡとの対向部位が押圧操作されたときに数値変更スイッチＡが押圧操作されたと判別し、かつタッチパネルにおける疑似操作スイッチＢとの対向部位が押圧操作されたときに数値変更スイッチＢが押圧操作されたと判別することにより、例えば、疑似操作スイッチＡに代えて圧力検出スイッチで構成した数値変更スイッチＡを設けたり、疑似操作スイッチＢに代えて圧力検出スイッチで構成した数値変更スイッチＢを設けたりする構成とは異なり、設定した動作条件に従って実行される各種の処理中（例えば測定処理中）における使用頻度が少ない（または、使用されることがない）これらのスイッチを配設することで電子機器や測定装置が大形化する事態を回避することができると共に、動作条件設定画面内の設定値表示領域などに表示される数値（設定値）を見ながら、同じ動作条件設定画面内に表示されている疑似操作スイッチＡ，Ｂ（数値変更スイッチＡ，Ｂ）を、操作ミスすることなく確実に操作することができる。
【図面の簡単な説明】
【００１５】
【図１】測定装置１の構成図である。
【図２】動作条件設定画面１０の表示画面図である。
【図３】ＵＰスイッチ１４ｕおよびＤＯＷＮスイッチ１４ｄの押圧操作時に特定される押圧力の各押圧力レベルＬ０〜ＬＭの大小関係について説明するための説明図である。
【図４】変更態様特定用データＤ０のデータ内容について説明するための説明図である。
【図５】特定される押圧力レベルＬおよび「操作継続時間」と、選択される変更態様Ｃとの関係について説明するための説明図である。
【図６】設定値決定処理２０のフローチャートである。
【発明を実施するための形態】
【００１６】
以下、電子機器および測定装置の実施の形態について、添付図面を参照して説明する。
【００１７】
図１に示す測定装置１は、「測定装置」の一例であって、測定部２、操作部３、表示部４、制御部５および記憶部６を備えて構成されている。測定部２は、「測定部」の一例であって、測定対象についての各種物理量（電気的パラメータ：一例として、電流値、電圧値、抵抗値および位相等）を測定可能に構成されている。具体的には、測定部２は、制御部５の制御に従い、入力信号ＳｉをＡ／Ｄ変換処理して測定データＤｓを生成すると共に、生成した測定データＤｓを制御部５に出力する。この場合、本例の測定装置１では、上記の測定部２を除く各構成要素３〜６によって「電子機器」が構成されている。
【００１８】
操作部３は、測定部２による測定処理の条件（測定条件）や表示部４による測定結果の表示条件等の各種動作条件の設定操作を行うための操作スイッチと、表示部４の前面側に配設されたタッチパネルとを備え（いずれも図示せず）、操作スイッチのスイッチ操作やタッチパネルの押圧操作（以下、これらを区別することなく、単に「操作」ともいう）に応じた操作信号Ｓを制御部５に出力する。表示部４は、制御部５の制御に従い、測定装置１の動作条件を設定するための動作条件設定画面（一例として、図２に示す動作条件設定画面１０等）や、測定部２による測定処理の結果を表示するための測定結果表示画面（図示せず）などを表示する。なお、表示部４を備えた測定装置１を例に挙げて説明するが、外部装置としての表示装置に上記の各種表示画面を表示させる構成を採用することもできる。
【００１９】
制御部５は、測定装置１を総括的に制御する。具体的には、制御部５は、「処理部」に相当し、後述するように、測定装置１の動作条件を設定する動作条件設定処理の開始を指示されたときに、図２に示す動作条件設定画面１０などの各種動作条件設定画面を表示部４に表示させると共に、操作部３の操作によって指定される条件（動作条件）に基づいて動作条件データＤ１を生成する「動作条件データ生成処理」を実行する。この場合、図２に示す動作条件設定画面１０は、複数種類の「動作条件設定画面」のうちの１つである「表示レンジに関する動作条件（上限値および下限値）を設定するための設定画面」であって、上限値の既設定値が表示される上限値表示領域１１、下限値の既設定値が表示される下限値表示領域１２、カーソル表示１３、ＵＰスイッチ１４ｕ、ＤＯＷＮスイッチ１４ｄ、ＯＫスイッチ１５およびＣａｎｃｅｌスイッチ１６が表示される。
【００２０】
また、ＵＰスイッチ１４ｕは、「数値変更スイッチＡを模した擬似操作スイッチＡ」の一例であって、後述するように、操作部３のタッチパネルにおけるＵＰスイッチ１４ｕとの対向部位が押圧操作されたときに（以下、単に「ＵＰスイッチ１４ｕが操作されたとき」ともいう）、上限値表示領域１１および下限値表示領域１２のうちのカーソル表示１３によって選択された一方内の設定値（上限値または下限値：「条件のうちの任意に変更可能な数値」の一例）を増加させて大きな値に変更する機能（「数値変更スイッチＡ」としての機能）が関連付けられている。なお、本例の測定装置１では、後述するように、ＵＰスイッチ１４ｕの操作が継続されている間において、予め規定された時間間隔で予め規定された変更量ずつ数値を増加させる処理が「処理Ａ」として実行される。
【００２１】
また、ＤＯＷＮスイッチ１４ｄは、「数値変更スイッチＢを模した擬似操作スイッチＢ」の一例であって、後述するように、タッチパネルにおけるＤＯＷＮスイッチ１４ｄとの対向部位が押圧操作されたときに（以下、単に「ＤＯＷＮスイッチ１４ｄが操作されたとき」ともいう）、上限値表示領域１１および下限値表示領域１２のうちのカーソル表示１３によって選択された一方内の設定値を減少させて小さな値に変更する機能（「数値変更スイッチＢ」としての機能）が関連付けられている。なお、本例の測定装置１では、後述するように、ＤＯＷＮスイッチ１４ｄの操作が継続されている間において、予め規定された時間間隔で予め規定された変更量ずつ数値を減少させる処理が「処理Ｂ」として実行される。
【００２２】
さらに、ＯＫスイッチ１５は、「疑似操作スイッチ」の他の１つであって、タッチパネルにおけるＯＫスイッチ１５との対向部位が押圧操作されたときに（以下、単に「ＯＫスイッチ１５が操作されたとき」ともいう）、上限値表示領域１１や下限値表示領域１２に表示されている設定値（数値）を「表示レンジの上限値」や「表示レンジの下限値」として確定させてこれらの設定処理を終了させる機能が関連付けられている。また、Ｃａｎｃｅｌスイッチ１６は、「疑似操作スイッチ」の他の１つであって、タッチパネルにおけるＣａｎｃｅｌスイッチ１６との対向部位が押圧操作されたときに（以下、単に「Ｃａｎｃｅｌスイッチ１６が操作されたとき」ともいう）、表示部４に動作条件設定画面１０を表示させる以前に設定されていた「表示レンジの上限値」や「表示レンジの下限値」をこれらの動作条件として確定させて設定処理を終了させる機能が関連付けられている。
【００２３】
この場合、本例の測定装置１では、上記のタッチパネルとして静電容量型のタッチパネルが採用されており、一例として、利用者が指先でタッチパネルを操作することにより、表示部４の表示画面上における操作部位の座標（タッチパネルに指先が接している部位の座標）を示す操作信号Ｓが出力される構成が採用されている。したがって、制御部５は、操作信号Ｓに基づいて利用者の指先が触れた部位の座標を特定し、特定した座標に、ＵＰスイッチ１４ｕ、ＤＯＷＮスイッチ１４ｄ、ＯＫスイッチ１５およびＣａｎｃｅｌスイッチ１６等の「疑似操作スイッチ」が存在するとき（特定した座標が「疑似操作スイッチ」を表示させている部位のとき）に、これらが操作されたと判別して、各スイッチ１４ｕ，１４ｄ，１５，１６に関連付けられている機能を実行する。
【００２４】
この場合、利用者の指先がタッチパネルに軽く接した状態（タッチパネルに対する押圧力が小さい状態）では、タッチパネルに指先が接する面積が狭くなる。また、利用者の指先がタッチパネルに強く押し付けられた状態（タッチパネルに対する押圧力が大きい状態）では、指先が押し潰される結果、タッチパネルに指先が接する面積が広くなる。このため、上記の操作信号Ｓに基づき、タッチパネルに指先が接している面積を特定することにより、表示部４の表示画面上における操作部位への指先の押圧力を特定することができる。したがって、本例の測定装置１では、制御部５が、操作部３のタッチパネルから出力される操作信号Ｓを監視してタッチパネルに指先が接している面積（「数値変更スイッチＡに対する押圧力の変化に伴って変化するパラメータＡ」および「数値変更スイッチＢに対する押圧力の変化に伴って変化するパラメータＢ」の一例）を逐次特定し、特定した面積に基づいてタッチパネルに対する押圧力のレベルを特定する構成が採用されている。
【００２５】
また、制御部５は、動作条件設定画面１０を表示部４に表示させたとき、すなわち、「表示レンジの上限値」または「表示レンジの下限値」を設定する処理の開始を指示されたときに、図６に示す設定値決定処理２０を実行する。この場合、本例の測定装置１では、設定値決定処理２０において、上記のように特定される押圧力が、押圧力レベルＬ０（タッチパネルに指先が接してない状態）から、予め規定された最大レベルである押圧力レベルＬＭまで（押圧力レベルＬ０＜Ｌ１＜Ｌ２＜Ｌ３＜Ｌ４＜Ｌ５＜Ｌ６＜ＬＭ）のいずれの押圧力レベルであるか（図３参照）を特定して特定結果を「押圧力情報」として記憶部６に記憶させると共に、「押圧力情報」として記憶させた押圧力レベルや、後述する「継続時間情報」などに応じて、上限値表示領域１１や下限値表示領域１２の設定値（数値）を変更する変更態様（変更量および変更時間間隔）を変化させる構成が採用されている。
【００２６】
具体的には、本例の測定装置１では、図４に示すように、ＵＰスイッチ１４ｕやＤＯＷＮスイッチ１４ｄの操作時に、「変更量：１」で「変更時間間隔：短（一例として、０．２秒）」の変更態様Ｃ１、「変更量：１０」で「変更時間間隔：短」の変更態様Ｃ２、「変更量：１００」で「変更時間間隔：短」の変更態様Ｃ３、「変更量：１」で「変更時間間隔：長（一例として、０．５秒）」の変更態様Ｃ４、「変更量：１０」で「変更時間間隔：長」の変更態様Ｃ５、および「変更量：１００」で「変更時間間隔：長」の変更態様Ｃ６の６つの変更態様（以下、これらを区別しないときには「変更態様Ｃ」ともいう）のいずれかで設定値（数値）を変更する構成が採用されている。
【００２７】
この場合、本例では、ＵＰスイッチ１４ｕの操作時に採用される上記の各変更態様Ｃにおける「変更量：１」、「変更量：１０」および「変更量：１００」の３つが「変更量Ａ」に相当すると共に、ＤＯＷＮスイッチ１４ｄの操作時に採用される上記の各変更態様Ｃにおける「変更量：１」、「変更量：１０」および「変更量：１００」の３つが「変更量Ｂ」に相当する。また、本例では、ＵＰスイッチ１４ｕの操作時に採用される上記の各変更態様Ｃにおける「変更時間間隔：０．２秒」および「変更時間間隔：０．５秒」の２つが「時間間隔Ａ」に相当すると共に、ＤＯＷＮスイッチ１４ｄの操作時に採用される上記の各変更態様Ｃにおける「変更時間間隔：０．２秒」および「変更時間間隔：０．５秒」の２つが「時間間隔Ｂ」に相当する。
【００２８】
つまり、本例では、図４，５に示すように、ＵＰスイッチ１４ｕやＤＯＷＮスイッチ１４ｄの操作状態に応じて、「変更量Ａ」をＭａ＝Ｌａ＝２段階で変化させ、かつ「変更量Ｂ」をＭｂ＝Ｌｂ＝２段階で変化させると共に、「時間間隔Ａ」をＮａ＝Ｌａ＝１段階で変化させ、かつ「時間間隔Ｂ」をＮｂ＝Ｌｂ＝１段階で変化させる構成が採用されている。なお、本例の測定装置１では、後述するように、制御部５が、タッチパネルから出力される操作信号Ｓと、変更態様特定用データＤ０（その時点において選択されている変更態様Ｃ、および操作信号Ｓに基づいて特定される押圧力の押圧力レベルＬに基づき、次に選択すべき変更態様Ｃを特定可能なデータ：図４参照）とに基づいて変更態様Ｃを逐次選択して設定値（数値）を変更する構成が採用されている。
【００２９】
また、制御部５は、記憶部６に記憶させた動作条件データＤ１に従い、測定部２を制御して測定処理を実行させると共に、測定部２から出力された測定データＤｓを記憶部６に記憶させる。さらに、制御部５は、記憶部６に記憶させた測定データＤｓに基づき、測定結果（測定結果表示画面：図示せず）を表示部４に表示させる。記憶部６は、上記の変更態様特定用データＤ０、「動作条件設定処理（動作条件データ生成処理）」において制御部５によって生成される動作条件データＤ１、および動作条件データＤ１に基づいて測定部２によって実行される測定処理において測定部２から出力される測定データＤｓなどを記憶する。この場合、測定データＤｓについては、ハードディスクドライブ（ハードディスク）、光ディスクドライブ（光ディスク）および光磁気ディスクドライブ（光磁気ディスク）などの各種の情報記録媒体に記録させる構成を採用することができる。
【００３０】
この測定装置１によって入力信号Ｓｉについての測定処理を実行する際には、まず、動作条件を設定する。具体的には、操作部３の操作スイッチを操作して動作条件設定画面（メイン画面：図示せず）を表示部４に表示させる。次いで、動作条件の設定（または、変更）を所望する設定項目を選択してサブ画面を表示部４に表示させる。この際に、一例として、設定項目として「表示レンジ」を選択したときには、図２に示す動作条件設定画面１０が表示部４に表示される。この場合、動作条件設定画面１０を表示させる以前に「表示レンジ」に関する設定を１回も行ったことがないときには、予め規定された初期値が上限値表示領域１１および下限値表示領域１２内に既設定値としてそれぞれ表示される。また、動作条件設定画面１０を表示させる以前に「表示レンジ」に関する設定を行ったことがあるときには、過去の設定操作によって設定された設定値が上限値表示領域１１および下限値表示領域１２に既設定値としてそれぞれ表示される。
【００３１】
また、動作条件設定画面１０を表示させた時点においては、同図に示すように、上限値表示領域１１の部位にカーソル表示１３が重なって表示されて上限値表示領域１１が選択された状態（すなわち、「表示レンジの上限値」を指定可能な状態）となる。この際に、制御部５は、図６に示す設定値決定処理２０を開始する。この設定値決定処理２０では、制御部５は、まず、「押圧力情報」、「継続時間情報」、および「変更態様情報」をそれぞれ初期化する（ステップ２１）。この場合、「継続時間情報」は、タッチパネルの押圧操作時に特定される押圧力レベルＬが、高い押圧力レベルの範囲、または、低い押圧力レベルの範囲に含まれる押圧力レベルＬとなってからのＵＰスイッチ１４ｕやＤＯＷＮスイッチ１４ｄの操作継続時間を特定可能な情報で構成されている。なお、「押圧力レベルの範囲」については、後に説明する。また、「変更態様情報」は、その時点において選択されている変更態様Ｃを特定可能な情報で構成されて、後述するように、制御部５によって新たな変更態様Ｃが選択される都度、その変更態様Ｃを特定可能な情報に書き換えられる。
【００３２】
次いで、制御部５は、タッチパネルにおけるいずれかの部位に対する押圧操作が行われたか否かを監視する（ステップ２２）。具体的には、タッチパネルのいずれかの部位が押圧操作されてタッチパネルから操作信号Ｓが出力されたときに、制御部５は、タッチパネルに加えられた押圧力のレベルが押圧力レベルＬ２以上であるかを判別する。この際に、押圧力のレベルが押圧力レベルＬ２未満のときには、「操作なし」と判別して、押圧操作が行われたか否かの監視を継続する。また、押圧力のレベルが押圧力レベルＬ２以上のときに、制御部５は、操作信号Ｓに基づき、押圧操作された部位の座標を特定すると共に、特定した座標が、上限値表示領域１１、下限値表示領域１２、ＵＰスイッチ１４ｕ、ＤＯＷＮスイッチ１４ｄ、ＯＫスイッチ１５およびＣａｎｃｅｌスイッチ１６の表示部位であるか否かを判別する。
【００３３】
この際に、特定した座標が上記の両領域１１，１２、および各スイッチ１４ｕ，１４ｄ，１５，１６の表示部位ではないとき（すなわち、動作条件設定画面１０における「余白領域」を押圧操作されたとき）に、制御部５は、「操作なし」と判別して、押圧操作が行われたか否かの監視を継続する。一方、押圧力が押圧力レベルＬ２以上の押圧操作が行われ、その際に出力された操作信号Ｓに基づいて特定した押圧操作の座標が、上記の「余白領域」以外のとき（すなわち、両領域１１，１２、および各スイッチ１４ｕ，１４ｄ，１５，１６の表示部位のいずれかが押圧操作されたとき）には、制御部５は、「操作あり」と判別し（ステップ２２）、その押圧操作がＵＰスイッチ１４ｕ、またはＤＯＷＮスイッチ１４ｄの操作であるか否かを判別する（ステップ２３）。
【００３４】
この際に、操作信号Ｓに基づいて特定した座標が上限値表示領域１１のとき（すなわち、上限値表示領域１１が押圧操作されたとき）には、制御部５は、カーソル表示１３を上限値表示領域１１に重ねて表示させ（この例では、カーソル表示１３を上限値表示領域１１に重ねて表示させた状態の維持：上限値表示領域１１の表示部位に対する押圧操作に応じて規定された処理の一例：ステップ２４）、この設定値決定処理２０を一旦終了して再び開始する。また、操作信号Ｓに基づいて特定した座標が下限値表示領域１２のとき（すなわち、下限値表示領域１２が押圧操作されたとき）には、制御部５は、カーソル表示１３を下限値表示領域１２に重ねて表示させ（下限値表示領域１２の表示部位に対する押圧操作に応じて規定された処理の一例：ステップ２４）、この設定値決定処理２０を一旦終了して再び開始する。これにより、下限値表示領域１２が選択された状態（すなわち、「表示レンジの下限値」を指定可能な状態）となる。
【００３５】
さらに、操作信号Ｓに基づいて特定した座標がＯＫスイッチ１５の表示部位のとき（すなわち、ＯＫスイッチ１５が操作されたとき）には、制御部５は、その時点において上限値表示領域１１や下限値表示領域１２に表示されている設定値（数値）を「表示レンジの上限値」や「表示レンジの下限値」として確定させて（ＯＫスイッチ１５の押圧操作に応じて規定された処理の一例：ステップ２４）、この設定値決定処理２０を終了する。また、操作信号Ｓに基づいて特定した座標がＣａｎｃｅｌスイッチ１６の表示部位のとき（すなわち、Ｃａｎｃｅｌスイッチ１６が操作されたとき）には、制御部５は、動作条件設定画面１０を表示させる以前に設定されていた「表示レンジの上限値」や「表示レンジの下限値」をこれらの動作条件として確定させて（Ｃａｎｃｅｌスイッチ１６の押圧操作に応じて規定された処理の一例：ステップ２４）、この設定値決定処理２０を終了する。
【００３６】
一方、操作信号Ｓに基づいて特定した座標がＵＰスイッチ１４ｕの表示部位のとき（ＵＰスイッチ１４ｕが操作されたとき：すなわち、ＵＰスイッチ１４ｕの表示部位に指先が接した面積が押圧力レベルＬ２以上の押圧力に対応する面積の範囲内となったとき：「押圧力の上昇によってパラメータＡが高い押圧力に対応するパラメータ範囲内の値となったとき」の一例）には、制御部５は、操作信号Ｓに基づいて押圧力の押圧力レベルＬを特定すると共に、特定した押圧力レベルＬ、その時点において選択されている変更態様Ｃ、および継続時間と、変更態様特定用データＤ０とに基づいて変更態様Ｃを選択する（ステップ２５）。この場合、いずれの変更態様Ｃも選択されておらず、かつ、継続時間が初期化された直後で「０」となっているこの時点において、操作信号Ｓに基づいて特定した押圧力のレベルが押圧力レベルＬ２以上（例えば押圧力レベルＬ６以上）であったときに、制御部５は、変更態様特定用データＤ０に基づき、図５に矢印Ａ１で示すように変更態様Ｃ１を選択する。
【００３７】
次いで、制御部５は、選択した変更態様Ｃ１（「変更量：１、変更時間間隔：短」）で上限値表示領域１１内の設定値（数値）を変更する（ステップ２６）。これにより、上限値表示領域１１内の設定値（数値）が「１」だけ増加して大きな値に変更される。続いて、制御部５は、上記のステップ２５において、直前まで選択されていた変更態様Ｃ（この例では、変更態様Ｃの選択なし）とは相異する変更態様Ｃが選択されたか否か、すなわち、変更態様Ｃの変更があったか否かを判別する（ステップ２７）。この際には、「変更態様Ｃの選択なし」の状態から変更態様Ｃ１が新たに選択されたため、制御部５は、変更態様Ｃの変更ありと判別し、継続時間情報を初期化すると共に（この例では、実質的な初期化なし）、ＵＰスイッチ１４ｕの操作継続時間（すなわち、ＵＰスイッチ１４ｕに対する押圧力が押圧力レベルＬ２以上となってからの経過時間）のカウントを開始する（ステップ２８）。
【００３８】
次いで、制御部５は、ＵＰスイッチ１４ｕの押圧操作が継続されていると判別し（ステップ２９）、現在の変更態様Ｃ（この例では、変更態様Ｃ１）における変更時間間隔の時間（この例では、０．２秒）だけ待機した後に（ステップ３０）、上記のステップ２５に戻る。この際に、押圧力レベルＬ６以上の押圧操作が継続されているときには、制御部５は、変更態様Ｃ１を再び選択して、上限値表示領域１１の数値を変更した後に（ステップ２６）、変更態様Ｃの変更なしと判別して（ステップ２７）、ＵＰスイッチ１４ｕの押圧操作が継続されているか否かを判別する（ステップ２９）。したがって、同程度の押圧力でＵＰスイッチ１４ｕの操作を継続することにより、上限値表示領域１１の設定値が０．２秒間隔で「１」ずつ増加して大きな値に変更される。
【００３９】
なお、本例の測定装置１では、後述するように、ＵＰスイッチ１４ｕの押圧力が押圧力レベルＬ４以下となったときに、上記のステップ２６において他の変更態様Ｃが選択されて設定値（数値）の変更時間間隔が長くなる構成が採用されている。また、本例の測定装置１では、後述するように、ＵＰスイッチ１４ｕの押圧力が押圧力レベルＬ１以下となったときにＵＰスイッチ１４ｕの押圧操作が終了したと判別されて設定値（数値）の増加（変更）を終了させる構成が採用されている。したがって、変更態様Ｃ１の変更時間間隔での変更を継続するときには、押圧力が押圧力レベルＬ４以下となることのないようにＵＰスイッチ１４ｕの操作を継続する。
【００４０】
一方、上記の例のように変更態様Ｃ１が選択されてから例えば２秒が経過したとき（ステップ２８においてカウントを開始した継続時間が２秒に達したとき）に、制御部５は、変更態様特定用データＤ０に基づき、図５に矢印Ａ２で示すように、変更態様Ｃ２を新たに選択し（ステップ２５）、「変更量：１０、変更時間間隔：短」で上限値表示領域１１の設定値（上限値）を変更する（ステップ２６）。したがって、同程度の押圧力でＵＰスイッチ１４ｕの操作を継続することにより、上限値表示領域１１の設定値が０．２秒間隔で「１０」ずつ増加して大きな値に変更される（「経過時間に応じて変更量Ａが増加するように変更量Ａを変化させる」との処理の一例）。
【００４１】
また、上記の例のように変更態様Ｃ２が選択されてから例えば３秒が経過したとき（ステップ２８においてカウントを開始した継続時間が３秒に達したとき）に、制御部５は、変更態様特定用データＤ０に基づき、図５に矢印Ａ３で示すように、変更態様Ｃ３を新たに選択し（ステップ２５）、「変更量：１００、変更時間間隔：短」で上限値表示領域１１の設定値（上限値）を変更する（ステップ２６）。したがって、同程度の押圧力でＵＰスイッチ１４ｕの操作を継続することにより、上限値表示領域１１の設定値が０．２秒間隔で「１００」ずつ増加して大きな値に変更される（「経過時間に応じて変更量Ａが増加するように変更量Ａを変化させる」との処理の他の一例）。
【００４２】
このように、この測定装置１では、ある程度の押圧力（この例では、タッチパネルに接する指先の面積が押圧力レベルＬ６以上の押圧力と判定される押圧力）でＵＰスイッチ１４ｕの押圧操作を継続することで、設定値（数値）の増加量（変更量）が、「１」、「１０」、「１００」の順でＭａ＝２段階で増加しつつ、０．２秒間隔で大きな値に変更される。したがって、上限値の既設定値（動作条件設定画面１０を表示させた時点において上限値表示領域１１に表示される設定値）と、目標設定値とが大きく相異する場合であっても、比較的短時間で目標設定値近傍の数値まで設定値を増加させることが可能となっている。
【００４３】
一方、ＵＰスイッチ１４ｕの押圧操作によって上限値表示領域１１内の数値が目標設定値に近い数値まで増加したときには、ＵＰスイッチ１４ｕの押圧操作を継続しつつ、その押圧力を押圧力レベルＬ４以下に低下させる。この際に、制御部５は、操作信号Ｓに基づいて押圧力の押圧力レベルＬを特定すると共に、特定した押圧力レベルＬ（一例として、押圧力レベルＬ２）、その時点において選択されている変更態様Ｃ（この例では、変更態様Ｃ３）、および上記のステップ２５でカウントを開始した継続時間と、変更態様特定用データＤ０とに基づいて、図５に矢印Ａ４で示すように、変更態様Ｃ６を選択する（ステップ２５）。次いで、制御部５は、選択した変更態様Ｃ６（「変更量：１００、変更時間間隔：長」）で上限値表示領域１１内の設定値（数値）を変更する（ステップ２６）。
【００４４】
この後、同程度の押圧力（この例では、押圧力レベルＬ２）でＵＰスイッチ１４ｕの操作を継続することにより、上限値表示領域１１の設定値が０．５秒間隔で「１００」ずつ増加して大きな値に変更される結果、変更態様Ｃ３で変更していたときよりも、単位時間当りの数値の増加量を少なくすることができ、上限値表示領域１１内の設定値が目標設定値を超えてしまう事態を回避することが可能となる。なお、本例の測定装置１では、後述するように、ＵＰスイッチ１４ｕの押圧力が押圧力レベルＬ５以上となったときに、上記のステップ２６において他の変更態様Ｃが選択されて設定値（数値）の変更時間間隔が短くなる構成が採用されている。また、本例の測定装置１では、前述したように、ＵＰスイッチ１４ｕの押圧力が押圧力レベルＬ１以下となったときにＵＰスイッチ１４ｕの押圧操作が終了したと判別される。したがって、変更態様Ｃ６の変更時間間隔での変更を継続するときには、押圧力が押圧力レベルＬ５以上や押圧力レベルＬ１以下となることのないようにＵＰスイッチ１４ｕの操作を継続する。
【００４５】
この場合、上記の例とは相異するが、変更態様Ｃが選択されていない状態において図５に矢印Ａ１で示すように変更態様Ｃ１が選択された状態においてＵＰスイッチ１４ｕに対する押圧力を押圧力レベルＬ４以下としたときには、同図に矢印Ａ５で示すように、変更態様Ｃ４が選択されて（ステップ２５）、変更態様Ｃ４（「変更量：１、変更時間間隔：長」）で上限値表示領域１１内の設定値（数値）が変更される（ステップ２６）。また、同図に矢印Ａ２で示すように変更態様Ｃ２が選択された状態においてＵＰスイッチ１４ｕに対する押圧力を押圧力レベルＬ４以下としたときには、同図に矢印Ａ６で示すように、変更態様Ｃ５が選択されて（ステップ２５）、変更態様Ｃ５（「変更量：１０、変更時間間隔：長」）で上限値表示領域１１内の設定値（数値）が変更される（ステップ２６）。
【００４６】
このように、この測定装置１では、ある程度の押圧力でＵＰスイッチ１４ｕを押圧操作して設定値（数値）を増加させているときに、ＵＰスイッチ１４ｕに対する押圧力を押圧力レベルＬ４以下とすることで、増加量自体を変更することなく、変更時間間隔を長くすることができる。したがって、上限値表示領域１１内の設定値が目標設定値に近付いたときに、単位時間当たりの設定値の変更量を減少させて、変更中の設定値が目標設定値を超えてしまう事態が生じるのを回避することが可能となっている（「押圧力が低下するほど時間間隔Ａが長くなる」との構成の一例）。
【００４７】
一方、この測定装置１では、前述したように変更態様Ｃ６が選択されて（ステップ２５）、変更態様Ｃ６（「変更量：１００、変更時間間隔：長」）で上限値表示領域１１内の設定値（数値）を増加させているときに（ステップ２６）、ＵＰスイッチ１４ｕに対する押圧力が押圧力レベルＬ３以下の状態において、変更態様Ｃ６が選択されてからの経過時間が例えば１秒に達したとき（ステップ２７において変更態様Ｃの変更ありと判別し、その後にステップ２８において継続時間情報を初期化してからカウントを開始した継続時間が１秒に達したとき）に、制御部５は、変更態様特定用データＤ０に基づき、図５に矢印Ａ７で示すように、変更態様Ｃ５を新たに選択し（ステップ２５）、「変更量：１０、変更時間間隔：長」で上限値表示領域１１の設定値（上限値）を変更する（ステップ２６）。したがって、変更態様Ｃ６が選択されたときの押圧力レベルＬ（この例では、押圧力レベルＬ２）と同程度の押圧力でＵＰスイッチ１４ｕの操作を継続することにより、上限値表示領域１１の設定値が０．５秒間隔で「１０」ずつ増加して大きな値に変更される（「経過時間に応じて変更量Ａが減少するように変更量Ａを変化させる」との処理の一例）。
【００４８】
また、ＵＰスイッチ１４ｕに対する押圧力が押圧力レベルＬ３以下の状態が維持されつつ、変更態様Ｃ５が選択されてからの経過時間が例えば１．５秒に達したとき（ステップ２８においてカウントを開始した継続時間が１．５秒に達したとき）に、制御部５は、変更態様特定用データＤ０に基づき、図５に矢印Ａ８で示すように、変更態様Ｃ４を新たに選択し（ステップ２５）、「変更量：１、変更時間間隔：長」で上限値表示領域１１の設定値（上限値）を変更する（ステップ２６）。したがって、変更態様Ｃ５が選択されたときの押圧力レベルＬ（この例では、押圧力レベルＬ２）と同程度の押圧力でＵＰスイッチ１４ｕの操作を継続することにより、上限値表示領域１１の設定値が０．５秒間隔で「１」ずつ増加して大きな値に変更される（「経過時間に応じて変更量Ａが減少するように変更量Ａを変化させる」との処理の他の一例）。
【００４９】
このように、この測定装置１では、ある程度の押圧力（この例では、タッチパネルに接する指先の面積が押圧力レベルＬ３以下の押圧力と判定される押圧力）でＵＰスイッチ１４ｕの押圧操作を継続することで、設定値（数値）の増加量（変更量）が、「１００」、「１０」、「１」の順でＬａ＝２段階で減少しつつ、０．５秒間隔で大きな値に変更される。したがって、上限値表示領域１１内の設定値が目標設定値に近付いたときに、単位時間当りの設定値（数値）の増加量を低下させてゆっくりと変化させることができるため、上限値表示領域１１内の設定値（数値）が目標設定値を超えて大きな値となったり、上限値表示領域１１内の設定値（数値）が目標設定値まで変更されていない時点においてＵＰスイッチ１４ｕの操作を停止してしまう事態が生じたりするのを回避することが可能となっている。
【００５０】
一方、例えば、上限値表示領域１１内の設定値（数値）が目標設定値に近付く前にＵＰスイッチ１４ｕに対する押圧力を低下させて押圧力レベルＬ３以下としてしまったとき（上限値表示領域１１内の設定値と目標設定値との差が大きいとき）には、ＵＰスイッチ１４ｕの押圧操作を継続しつつ、その押圧力を押圧力レベルＬ５以上に上昇させる。この際に、制御部５は、操作信号Ｓに基づいて押圧力の押圧力レベルＬを特定すると共に、特定した押圧力レベルＬ（一例として、押圧力レベルＬ６）、その時点において選択されている変更態様Ｃ（この例では、変更態様Ｃ４）、および上記のステップ２５でカウントを開始した継続時間と、変更態様特定用データＤ０とに基づいて、図５に矢印Ａ９で示すように、変更態様Ｃ１を選択する（ステップ２５）。次いで、制御部５は、選択した変更態様Ｃ１（「変更量：１、変更時間間隔：短」）で上限値表示領域１１内の設定値（数値）を変更する（ステップ２６）。
【００５１】
この後、同程度の押圧力（この例では、押圧力レベルＬ６）でＵＰスイッチ１４ｕの操作を継続することにより、上限値表示領域１１の設定値が０．２秒間隔で「１」ずつ増加して大きな値に変更される結果、変更態様Ｃ４で変更していたときよりも、単位時間当りの数値の増加量を多くすることができ、上限値表示領域１１内の設定値を短時間で目標設定値に近づけることが可能となる。この場合、上記の例とは相異するが、図５に矢印Ａ４で示すように変更態様Ｃ６が選択された状態においてＵＰスイッチ１４ｕに対する押圧力を押圧力レベルＬ５以上としたときには、同図に矢印Ａ１０で示すように、変更態様Ｃ３が選択されて（ステップ２５）、変更態様Ｃ３（「変更量：１００、変更時間間隔：短」）で上限値表示領域１１内の設定値（数値）が変更される（ステップ２６）。また、同図に矢印Ａ７で示すように変更態様Ｃ５が選択された状態においてＵＰスイッチ１４ｕに対する押圧力を押圧力レベルＬ５以上としたときには、同図に矢印Ａ１１で示すように、変更態様Ｃ２が選択されて（ステップ２５）、変更態様Ｃ２（「変更量：１０、変更時間間隔：短」）で上限値表示領域１１内の設定値（数値）が変更される（ステップ２６）。
【００５２】
このように、この測定装置１では、ある程度まで押圧力を低下させた状態でＵＰスイッチ１４ｕの押圧操作を継続することで、その時点において選択されている変更態様Ｃの変更時間間隔で数値を増加させているときに、ＵＰスイッチ１４ｕに対する押圧力を押圧力レベルＬ５以上とすることで、増加量自体を変更することなく、変更時間間隔を短くすることができる。したがって、上限値表示領域１１内の設定値が目標設定値に近付いたと思ってＵＰスイッチ１４ｕに対する押圧力を低下させて単位時間当りの設定値（数値）の増加量を減少させたものの、上限値表示領域１１内の設定値と目標設定値との差が大きいときには、変更時間間隔を短くして、単位時間当たりの設定値の変更量を増加させ、変更中の設定値を目標設定値まで短時間で近づけることが可能となっている（「押圧力が上昇するほど時間間隔Ａが短くなる」との構成の一例）。
【００５３】
一方、前述したように変更態様Ｃ４が選択されて（ステップ２５）、変更態様Ｃ４（「変更量：１、変更時間間隔：長」）で上限値表示領域１１内の設定値（数値）を増加させることで（ステップ２６）、上限値表示領域１１内の設定値が目標設定値となったときには、ＵＰスイッチ１４ｕの操作を停止する。この際には、操作信号Ｓに基づいて特定される押圧力のレベルが押圧力レベルＬ１以下となるため、制御部５は、ＵＰスイッチ１４ｕの押圧操作が継続されていない（ＵＰスイッチ１４ｕの押圧操作が停止した）と判別し（ステップ２９）、図５に矢印Ａ１２で示すように、その時点において上限値表示領域１１に表示されている設定値（数値）を上限値として仮決定し（ステップ３１）、前述したステップ２２に戻って、上限値表示領域１１および下限値表示領域１２や、ＵＰスイッチ１４ｕ、ＤＯＷＮスイッチ１４ｄ、ＯＫスイッチ１５およびＣａｎｃｅｌスイッチ１６の表示部位への押圧操作が行われたか否かを監視する。
【００５４】
なお、上記の例とは相異するが、ＵＰスイッチ１４ｕの押圧操作が終了して押圧レベルが押圧力レベルＬ１以下となったときに、その時点において上限値表示領域１１に表示されている設定値（数値）を上限値として仮決定するステップ３１の処理については、図５に矢印Ａ１３〜Ａ１７で示すように、変更態様Ｃ１が選択されている状態、変更態様Ｃ２が選択されている状態、変更態様Ｃ３が選択されている状態、変更態様Ｃ５が選択されている状態、および変更態様Ｃ６が選択されている状態においても同様に実行される。
【００５５】
また、ステップ３１において上限値表示領域１１内の設定値が仮決定された状態（制御部５が押圧操作の有無を監視している状態）において下限値を設定するときや、動作条件設定画面１０を表示部４に表示させた直後に下限値を直ちに設定するときには、下限値表示領域１２の部位を押圧操作する。この際に、制御部５は、下限値表示領域１２が押圧操作されたと判別し（ステップ２２，２３）、カーソル表示１３を下限値表示領域１２の上に移動させて（下限値を設定可能な状態とする：ステップ２４）、この設定値決定処理２０を一旦終了して再び開始する。なお、下限値を設定する方法に関しては、上記の上限値の設定方法と同様のため、説明を省略する。
【００５６】
また、ＵＰスイッチ１４ｕの押圧操作によって設定値（数値）を増加させて大きな値に変更する方法について説明したが、設定値（数値）を減少させて小さな値に変更する際には、ＤＯＷＮスイッチ１４ｄを押圧操作する。この場合、ＤＯＷＮスイッチ１４ｄの操作時には、ＵＰスイッチ１４ｕの操作時における「設定値（数値）の増加処理」に代えて「設定値（数値）の減少処理」が実行される点を除き、ＵＰスイッチ１４ｕの操作時と同様に変更態様Ｃが選択されて（ステップ２５）、選択された変更態様Ｃで上限値表示領域１１内、または、下限値表示領域１２内の設定値（数値）が減少させられる。したがって、設定値決定処理２０においてＤＯＷＮスイッチ１４ｄが押圧操作されたときの設定値（数値）の変更についての説明を省略する。
【００５７】
この場合、上記の例とは相異するが、いずれの変更態様Ｃも選択されていない状態において操作信号Ｓに基づいて特定した押圧力のレベルが押圧力レベルＬ２以上のときに、図５に矢印Ａｘで示すように変更態様Ｃ４を選択する構成を採用することもできる。なお、変更態様Ｃ４を選択した後に、押圧力のレベルが押圧力レベルＬ５以上となって変更態様Ｃ１が新たに選択されたり、押圧力のレベルが押圧力レベルＬ１以下となって上限値表示領域１１内、または、下限値表示領域１２内の設定値（数値）が仮決定されたりする手順については、上記の例と同様のため、説明を省略する。
【００５８】
一方、ＵＰスイッチ１４ｕやＤＯＷＮスイッチ１４ｄの押圧操作によって上限値や下限値をそれぞれ目標設定値に変更し終えたときには、ＯＫスイッチ１５を押圧操作する。この際に、制御部５は、ＯＫスイッチ１５が操作されたと判別し（ステップ２２，２３）、上限値表示領域１１や下限値表示領域１２に表示されている設定値（数値）を「表示レンジの上限値」や「表示レンジの下限値」として確定させて（ステップ２４）、設定値決定処理２０を終了させ、動作条件設定画面（メイン画面）を表示部４に表示させる。この後、「表示レンジ」以外の設定項目についての動作条件の設定（または、変更）を所望する場合には、所望する設定項目を選択して動作条件設定画面（選択した設定項目についての動作条件の設定画面）を表示部４に表示させ、任意の設定値を設定する。
【００５９】
また、設定（または、変更）を所望するすべての設定項目に関する設定作業を完了したときには、操作部３の操作スイッチを操作して動作条件設定画面（メイン画面）を閉じる。この際に、制御部５は、設定された各動作条件に基づいて変更態様特定用データＤ０を生成し、生成した変更態様特定用データＤ０を記憶部６に記憶させる。これにより、「動作条件データ生成処理」が完了し、測定処理を実行する準備が整う。この後、操作部３の測定開始スイッチを操作することにより、設定した変更態様特定用データＤ０に従って測定対象についての測定処理が実行され、その測定結果が表示部４に表示される。
【００６０】
このように、この測定装置１では、「処理Ａ」に際して、押圧力が低下するほど設定値（数値）を増加させる時間間隔（時間間隔Ａ）が長くなり、かつ押圧力が上昇するほど設定値（数値）を増加させる時間間隔（時間間隔Ａ）が短くなるように、この時間間隔をＮａ＝１段階で変化させると共に、「パラメータＡ（この例では、タッチパネルに接する指先の面積）」が高い押圧力に対応するパラメータ範囲内の値となってからの経過時間に応じて「変更量Ａ」が増加するように「変更量Ａ」をＭａ＝２段階で変化させ、かつ「パラメータＡ」が低い押圧力に対応するパラメータ範囲内の値となってからの経過時間に応じて「変更量Ａ」が減少するように「変更量Ａ」をＬａ＝２段階で変化させ、「処理Ｂ」に際して、押圧力が低下するほど設定値（数値）を減少させる時間間隔（時間間隔Ｂ）が長くなり、かつ押圧力が上昇するほど設定値（数値）を減少させる時間間隔（時間間隔Ｂ）が短くなるように、この時間間隔をＮｂ＝１段階で変化させると共に、「パラメータＢ」が高い押圧力に対応するパラメータ範囲内の値となってからの経過時間に応じて「変更量Ｂ」が増加するように「変更量Ｂ」をＭｂ＝２段階で変化させ、かつ「パラメータＢ」が低い押圧力に対応するパラメータ範囲内の値となってからの経過時間に応じて「変更量Ｂ」が減少するように「変更量Ｂ」をＬｂ＝２段階で変化させる。
【００６１】
したがって、この測定装置１によれば、ＵＰスイッチ１４ｕやＤＯＷＮスイッチ１４ｄの押圧操作時に押圧力を上昇させてからある程度の押圧力（この例では、押圧力レベルＬ６以上の押圧力レベルＬ）を維持して押圧操作を継続することで設定値（数値）の変更量（増加量または減少量）が増加すると共に、ＵＰスイッチ１４ｕやＤＯＷＮスイッチ１４ｄの押圧力を上昇させることで設定値（数値）の変更時間間隔が短くなるため、既設定値と目標設定値とが大きく相異する場合であっても設定値を短時間で目標設定値に近づけることができる。また、ＵＰスイッチ１４ｕやＤＯＷＮスイッチ１４ｄの押圧力を低下させることで設定値（数値）の変更時間間隔が長くなると共に、ＵＰスイッチ１４ｕやＤＯＷＮスイッチ１４ｄの押圧操作時に押圧力を低下させてからある程度の押圧力（この例では、押圧力レベルＬ１を超えて押圧力レベルＬ３以下の範囲内の押圧力レベルＬ）を維持して押圧操作を継続することで設定値（数値）の変更量（増加量または減少量）が減少するため、例えば、ＵＰスイッチ１４ｕやＤＯＷＮスイッチ１４ｄの操作を継続することで変更中の設定値が目標設定値に近付いたときに押圧力を低下させるだけで、単位時間当りの設定値の変更量を減少させて設定値をゆっくりと変化させることができる結果、設定中の設定値（数値）が目標設定値を超えて大きな値（または、目標設定値を超えて小さな値）になってしまったり、設定中の設定値（数値）が目標設定値に達する前にＵＰスイッチ１４ｕやＤＯＷＮスイッチ１４ｄの押圧操作を終了させてしまったりする事態を回避して、目標設定値まで正確かつ容易に設定値（数値）を変更することができる。このため、この測定装置１によれば、動作条件のうちの数値の設定値を短時間で容易に目標設定値に設定することができる。
【００６２】
また、この測定装置１によれば、タッチパネルにおけるＵＰスイッチ１４ｕとの対向部位が押圧操作されたときに「数値変更スイッチＡ」が押圧操作されたと判別し、かつタッチパネルにおけるＤＯＷＮスイッチ１４ｄとの対向部位が押圧操作されたときに「数値変更スイッチＢ」が押圧操作されたと判別することにより、例えば、ＵＰスイッチ１４ｕ（疑似操作スイッチ）に代えて圧力検出スイッチで構成した「ＵＰスイッチ」を設けたり、ＤＯＷＮスイッチ１４ｄ（疑似操作スイッチ）に代えて圧力検出スイッチで構成した「ＤＯＷＮスイッチ」を設けたりする構成とは異なり、測定処理中における使用頻度が少ない（または、使用されることがない）これらのスイッチを配設することで測定装置１が大形化する事態を回避することができると共に、動作条件設定画面１０内の上限値表示領域１１や下限値表示領域１２などに表示される設定値（数値）を見ながら、同じ動作条件設定画面１０内に表示されているＵＰスイッチ１４ｕまたはＤＯＷＮスイッチ１４ｄ（両領域１１，１２の近傍に表示されるスイッチ１４ｕ，１４ｄ）を、操作ミスすることなく確実に操作することができる。
【００６３】
なお、「電子機器」および「測定装置」の構成は、上記の測定装置１の構成に限定されない。例えば、静電容量型のタッチパネルを有する操作部３を備えた測定装置１を例に挙げて説明したが、静電容量型のタッチパネルに代えて感圧型のタッチパネルを有する「操作部」を備えて構成することもできる。このような構成を採用した場合には、静電容量型のタッチパネルを備えて構成された上記の測定装置１とは異なり、一例として、タッチパネルから出力される圧力情報そのものを「パラメータＡ」や「パラメータＢ」として監視してＵＰスイッチ１４ｕやＤＯＷＮスイッチ１４ｄの押圧レベルを特定することができる。したがって、このような構成・方法を採用した場合においても、上記の測定装置１と同様に両スイッチ１４ｕ，１４ｄの押圧操作状態に応じた設定値（数値）の変更を行うことができる。
【００６４】
また、「疑似操作スイッチ」であるＵＰスイッチ１４ｕやＤＯＷＮスイッチ１４ｄの操作によって設定値（数値）を変更する構成について説明したが、「疑似操作スイッチ」に代えて、圧力検出スイッチを「ＵＰスイッチ」および「ＤＯＷＮスイッチ」として操作部３に配設し、これらのスイッチに対する押圧操作によって設定値（数値）を変更する構成を採用することもできる。このような構成を採用した場合においても、上記の測定装置１と同様の効果を奏することができる。
【００６５】
さらに、「時間間隔Ａ」をＮａ＝１段階で変化させると共に、「時間間隔Ｂ」をＮｂ＝１段階で変化させる構成を例に挙げて説明したが、Ｎａ段階やＮｂ段階は、２段階以上の任意の段階数とすることができる。この場合、「Ｎａ」および「Ｎｂ」を互いに相異する数とすることもできる。また、「変更量Ａ」をＭａ＝Ｌａ＝２段階で変化させると共に、「変更量Ｂ」をＭｂ＝Ｌｂ＝２段階で変化させる構成を例に挙げて説明したが、Ｍａ段階、Ｍｂ段階、Ｌａ段階およびＬｂ段階は、１段階、または、３段階以上の任意の段階数とすることができる。この場合、「Ｍａ」、「Ｍｂ」、「Ｌａ」および「Ｌｂ」を互いに相異する数とすることもできる。
【００６６】
また、「測定対象の物理量」として、電流値、電圧値、抵抗値および位相等）を測定可能に構成した測定装置１を例に挙げて説明したが、これらの物理量に代えて（または、これらの物理量に加えて）温度、湿度、輝度（光度）および照度等の各種の「物理量」を測定する構成を採用することもできる。加えて、「電子機器」は「測定装置」に限定されず、携帯電話やスマートフォンのような携帯通信端末、ミュージックプレーヤ、デジタルカメラ、および携帯型パソコンなどの各種の「電子機器」において、上記の測定装置１と同様の操作形態を採用することができる。
【符号の説明】
【００６７】
１  測定装置
２  測定部
３  操作部
４  表示部
５  制御部
６  記憶部
１０  動作条件設定画面
１１  上限値表示領域
１２  下限値表示領域
１３  カーソル表示
１４ｕ  ＵＰスイッチ
１４ｄ  ＤＯＷＮスイッチ
１５  ＯＫスイッチ
１６  Ｃａｎｃｅｌスイッチ
２０  設定値決定処理
Ｃ１〜Ｃ６  変更態様
Ｄ０  変更態様特定用データ
Ｄ１  動作条件データ
Ｌ１〜Ｌ６  押圧力レベル
Ｓ  操作信号
【図１】
2014075075.tif 000003
【図２】
2014075075.tif 000004
【図３】
2014075075.tif 000005
【図４】
2014075075.tif 000006
【図５】
2014075075.tif 000007
【図６】
2014075075.tif 000008